(57)【要約】【課題】コーナー部に開口部を設けるときに、ラーメンフレームを設けなくとも、従来の木質建物を若干手直しをするだけでコーナー部の機械的強度を保つことのできる木質建物を提供すること。【解決手段】隅柱Ｓと、この隅柱Ｓに略直角に取り付けた２個の壁構造体５とからなるコーナー部において、隅柱Ｓの上面とこの隅柱Ｓに取り付けた２個の壁構造体５の上枠５１とにＬ字形の金属製補強材７を取り付ける。そして、このコーナー部の壁構造体５の金属製補強材７近傍に開口部２を設ける。【選択図】  図２
2004324309.tif 000002
【特許請求の範囲】
【請求項１】
隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、隅柱に取り付けられた２個の壁構造体の上枠に股がってＬ字形の金属製補強材が取り付けられ、この２個の壁構造体の隅柱近傍に開口部が設けられていることを特徴とする木質建物。
【請求項２】
隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、下階と上階の隅柱に取り付けられた２個の壁構造体の上枠に股がってそれぞれＬ字形の金属製補強材が取り付けられ、この下階と上階の２個の壁構造体の隅柱近傍にそれぞれ開口部が設けられていることを特徴とする木質建物。
【請求項３】
隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、下階の隅柱に取り付けられた２個の壁構造体の上枠に股がってＬ字形の金属製補強材が取り付けられ、床構造体には、金属製補強材近傍に開口部が設けられて、この開口部が下階から上階に貫通している吹き抜けになされていることを特徴とする木質建物。
【請求項４】
隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、前記床構造体は縦枠、横枠からなる骨格を有し、コーナー部では、下階の隅柱に取り付けられた２個の壁構造体の上枠に股がってＬ字形の金属製補強材が取り付けられ、床構造体には、金属製補強材近傍に開口部が設けられ、コーナー部の角を形成する床構造体の縦枠と横枠には、この開口部の内方向に突出したＬ字形の耐風床が設けられ、この耐風床以外の開口部が下階から上階に貫通している吹き抜けになされていることを特徴とする木質建物。
【発明の詳細な説明】
【０００１】
【発明の属する技術分野】
本発明は、木質建物に関する。
特に、枠組壁工法で建てられた木質建物に好適な木質建物に関する。
【０００２】
【従来の技術】
枠組壁工法で建てられた木質建物は、柱を立設し、この柱に耐力壁である壁構造体を設けたものであり、施工が簡単で施工期間が短いという特徴があり、この枠組壁工法で建てられた木質建物が広く採用されている。
この枠組壁工法には、種々な工法がある。最も多い枠組壁工法は、特許文献１の従来の技術に記載されているように、コンクリートで基礎を設ける第１工程と、基礎の上に横架材（土台）を配置する第２工程と、この横架材の上に柱や中間の横架材や筋かいからなる１階軸組壁を立設する第３工程と、下方の横架材に１階床組材を配置する第４工程とからなる工程で１階を施工し、この中間の横架材の上に２階床組材を配置する第５工程等の２階を施工する工程へと続く。
【０００３】
このように、この枠組壁工法で建てられた建物では横架材に床組材を組み立てて床となすものである。従って、この枠組壁工法では、軸組壁を立設する際には、未だ、床面材等の床組材が配置されていないために、足場が不安定で施工し難いという問題がある。この問題を解決するために、上記特許文献１では、軸組壁を立設する前に、床面材等の床組材を設け、この後に、柱を立設し、この柱や基礎に壁構成体を接合する枠組壁工法が提案されている。
【０００４】
また、別の枠組壁工法としては、特許文献２に記載されている工法がある。
この工法は、建物の中に木質ラーメンフレームを設け、この木質ラーメンフレームの内部を開口部とするものである。
また、更に別の枠組壁工法として、非特許文献１に記載されている工法が知られている。
この非特許文献１の中には、コーナーに開口部を設けるときに、壁構造体の上部、即ち、上階の床構造体近傍に壁部分（垂れ壁）を残し、この壁部分の下側に開口部を設ける工法が記載されている。
【０００５】
【特許文献１】
特開平６−２３５８号公報
【特許文献２】
特開平９−６０１０７号公報
【非特許文献１】
住宅金融普及協会発行「枠組壁工法住宅工事共通仕様書」平成１４年度版７０頁
【０００６】
【発明が解決しようとする課題】
この枠組壁工法で建てられた建物では、耐力壁で地震や風圧等の水平方向の力に抵抗するようになっている。
そして、この地震や風圧等の力が建物に加わったときには、この力がコーナー部の床構造体と壁構造体の交点に集中する。従って、上記特許文献１に記載されている枠組壁工法では、開口部を設ける場合に、コーナー部の壁構造体の交点には壁面材を残し、このコーナー部から離れた中央部分に開口部を設け、このコーナー部の機械的強度の低下を少なくしている。
【０００７】
その理由は、地震や風圧等の水平方向の力が、このコーナー部の壁構造体や床構造体との交点の角部に集中し角部の角度を変化させようとする力になるが、コーナー部近傍の壁構造体に開口部を設けると、コーナー部の機械的強度が低下し、この角部の壁構造体や床構造体が破壊されることがあるからである。
しかし、間取り等の関係でコーナー部近傍の壁構造体に開口部を設けたいことがあるが、かかるときには、コーナー部の角部が変化しないように、非特許文献１に記載されているように、壁構造体の機械的強度の低下を少なくするように上階の床構造体から垂れ壁を設けて、この垂れ壁の下側に開口部を設けていたが、この垂れ壁の高さが低いと、この部分の機械的強度が低下するという問題がある。
【０００８】
更に、採光等の理由から、このコーナー部近傍の壁構造体に、略上枠に達する大きさの開口部（垂れ壁を設けることができない程大きな開口部）を設けたいことがあるが、かかる場合には、特許文献２の従来例に記載されているような鉄骨系ラーメンフレームを設けたり、特許文献２に記載されているような木質ラーメンフレームを設け、ラーメンフレームの内部に開口部を設けている。
しかし、かかるラーメンフレームを設けると、耐力壁以外にラーメンフレームを製造する必要があり不便であるし、このラーメンフレームを取り付ける施工が増加し、コスト高になるという問題がある。
【０００９】
一方、建物の居住性をよくするために、上階と下階との境界に設けられている床構造体の床面材の一部を切り取って開口部とし、この開口部に下階から上階に貫通した吹き抜けを設けることが多いが、この吹き抜けをコーナー部に設ける場合にも、耐力壁と略同じ問題がある。即ち、コーナー部近傍に床面材がないと、地震や風圧等で建物に水平方向の力が加わりた場合に、この力に対抗することができず、このコーナー部を構成する壁構造体や床構造体の角度が変化し易くなり、この付近の床構造体や壁構造体が破損することがある。
【００１０】
かかる問題は、枠組壁工法の木質建物にかぎらず、他の木質建物でも、同じ問題がある。
そこで、この発明の目的は、コーナー部に開口部を設けるときに、ラーメンフレームを設けなくとも、従来の木造建物を若干手直しをするだけでコーナー部の機械的強度を保つことのできる木質建物を提供することである。
【００１１】
【課題を解決するための手段】
本発明は、上記課題を解決するためになされたものであって、請求項１に記載の発明は、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、隅柱に取り付けられた２個の壁構造体の上枠に股がってＬ字形の金属製補強材が取り付けられ、この２個の壁構造体の隅柱近傍に開口部が設けられているものである。
【００１２】
本発明における壁構造体は、上枠、下枠からなる骨格に壁面材を設けたものである。この上枠や下枠とは、壁を構成する際の壁の上側や下側に設けられる横方向の材料をいい、この上枠や下枠は床構造体の枠と兼用されていてもよいし、独立していてもよい。又、工場等で予め製造される壁パネルの上枠や下枠であってもよいし、特許文献１に記載されているように、施工現場で設ける横架材であってもよい。
【００１３】
本発明に使用する金属製補強材は、Ｌ字形になっていればよい。即ち、板状であってもよいし、棒状体であってもよい。
板状の場合には、板状を切り取ったＬ字形、即ち、板状の平面上でＬ字形に折れ曲がった形状であってもよいし、板状を厚み方向に折曲したＬ字形、即ち、板状の平面を直角方向に折れ曲げた形状であってもよいが、前者がコーナー部の角の角度の変化に対抗する力が大きいので好ましい。
【００１４】
そして、この金属製補強材は２個の壁構造体の上枠に股がって取り付けられているが、この意味は、コーナー部では、２個の壁構造体が略直角に接しているので、この２個の壁構造体の上枠に架け渡して取り付けるのである。例えば、コーナー部で２個の壁構造体が略直角に接している場合には、金属製補強材をこの一方の壁構造体から他方の壁構造体に股がって取り付ければよいし、２個の壁構造体の上枠の間に柱等の第３者が挟まれている場合には、一方の壁構造体から柱等の第３者を経て他方の壁構造体に股がって取り付ければよいのである。
【００１５】
なお、２個の壁構造体の上枠の上にコーナー部以外の略一直線状に並んだ壁構造体を繋ぐ継なぎ材等の第３者が有る場合には、一方の壁構造体の上面にある継なぎ材等から他方の壁構造体の上面にある継なぎ材等に股がらせて取り付けるというように、間接的に、２個の壁構造体に股がって取り付けてもよい。
この際、上面や２個の壁構造体の上枠や上枠の上に設けられた継なぎ材等に（必要があれば、更に、柱等の第３者の上端面に）窪み又は溝を設けて、この窪み又は溝の中に金属製補強材を挿入し、この金属製補強材の上面と壁構造体の上枠や継なぎ材の上面とを面一にすると、この上に床構造体を取り付ける際に、金属製補強材が邪魔にならず、好ましい。
【００１６】
請求項１記載の発明における開口部は、２個の壁構造体の隅柱近傍に設けられいてればよく、複数階のどの階でもよい。即ち、この開口部が上階に設けられていてもよいし、下階に設けられていてもよいし、請求項２記載の発明のように、上階と下階の両方に設けられていてもよい。そして、上階に開口部を設けるときには、上階の２個の壁構造体の上枠に股がって金属製補強材を取り付け、下階に開口部を設けるときには、下階の２個の壁構造体の上枠に股がって金属製補強材を取り付ければよい。
【００１７】
即ち、請求項２記載の発明は、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、下階と上階の隅柱に取り付けられた２個の壁構造体の上枠に股がってそれぞれＬ字形の金属製補強材が取り付けられ、この下階と上階の２個の壁構造体の隅柱近傍にそれぞれ開口部が設けられているものである。
請求項３記載の発明は、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、下階の隅柱に取り付けられた２個の壁構造体の上枠に股がってＬ字形の金属製補強材が取り付けられ、床構造体には、金属製補強材近傍に開口部が設けられて、この開口部が下階から上階に貫通している吹き抜けになされているものである。
【００１８】
請求項４記載の発明は、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、前記床構造体は縦枠、横枠からなる骨格を有し、コーナー部では、下階の隅柱に取り付けられた２個の壁構造体の上枠に股がってＬ字形の金属製補強材が取り付けられ、床構造体には、金属製補強材近傍に開口部が設けられ、コーナー部の角を形成する床構造体の縦枠と横枠には、この開口部の内方向に突出したＬ字形の耐風床が設けられ、この耐風床以外の開口部が下階から上階に貫通している吹き抜けになされているものである。
【００１９】
この請求項４記載の発明における床構造体は、縦枠、横枠からなる骨格を有するものである。そして、この床構造体の縦枠と横枠は、壁構造体とは別に設けてもよいし、床構造体の縦枠または横枠が上階の壁構造の下枠や下階の壁構造体の上枠を兼用したものであってもよいし、特許文献１記載のように、下階と上階との間にある床構造体となる横架材であってもよい。
【００２０】
この請求項４記載の発明では耐風床が設けられているが、この耐風床の幅は風圧等のコーナーに角度を変えようとする外力が加わったときに、抵抗できる幅を有する床をいい、具体的には、幅が３０ｃｍ以上の床、好ましくは、幅が４５ｃｍ以上の床をいう。
【００２１】
（作用）
請求項１記載の発明では、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、隅柱に取り付けられた２個の壁構造体の上枠に股がってＬ字形の金属製補強材が取り付けられ、この２個の壁構造体の隅柱近傍に開口部が設けられているので、地震や風圧等の水平方向の力が、開口部が設けられて機械的強度が低下しているコーナー部の壁構造体の上枠や下枠と側枠や柱等で構成される角に集中し、角の角度を変化させようとする力になっても、コーナー部に設けられている２個の壁構造体の上枠に股がって取り付けられたＬ字形の金属製補強材がこの力に抵抗し、このコーナー部に設けられている２個の壁構造体の角度が変化しない。従って、コーナー部の壁構造体等が破壊されない。
【００２２】
請求項２記載の発明では、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、下階と上階の隅柱に取り付けられた２個の壁構造体の上枠に股がってそれぞれＬ字形の金属製補強材が取り付けられ、この下階と上階の２個の壁構造体の隅柱近傍にそれぞれ開口部が設けられているので、地震や風圧等の水平方向の力が、開口部が設けられて機械的強度が低下しているコーナー部の下階の壁構造体の上枠や下枠と側枠や柱等で構成される角や上階の壁構造体の上枠や下枠と側枠や柱等で構成される角に集中し、角の角度を変化させようとする力になっても、コーナー部に設けられている上階や下階の２個の壁構造体の上枠に股がって取り付けられたそれぞれのＬ字形の金属製補強材がこの力に抵抗し、このコーナー部に設けられている２個の壁構造体の角度が変化しない。従って、コーナー部の壁構造体等が破壊されない。
【００２３】
このように、請求項２記載の発明では、上階と下階の両方に開口部が設けられていて、それだけ、建物構造等の荷重を支える垂直方向の力や地震や風圧等の水平方向の力に耐えに難くなっているが、上階と下階の両方のコーナー部を形成する２個の壁構造体には、それぞれ金属製補強材が取り付けられているので、この力に十分抵抗することができる。
【００２４】
請求項３記載の発明では、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、下階の隅柱に取り付けられた２個の壁構造体の上枠に股がってＬ字形の金属製補強材が取り付けられ、床構造体には、金属製補強材近傍に開口部が設けられて、この開口部が下階から上階に貫通している吹き抜けになされているので、地震や風圧等の水平方向の力が、開口部が設けられて機械的強度が小さくなっている床構造体の角の角度を変化させようとする力なっても、この開口部近傍のコーナー部にある２個の壁構造体の上枠に股がって取り付けられたＬ字形の金属製補強材がこの力に抵抗し、この壁構造体の角や床構造体の角の角度が変化しない。その結果、コーナー部の壁構造体が破壊されない。
【００２５】
請求項４記載の発明では、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、前記床構造体は縦枠、横枠からなる骨格を有し、コーナー部では、下階の隅柱に取り付けられた２個の壁構造体の上枠に股がってＬ字形の金属製補強材が取り付けられ、床構造体には、金属製補強材近傍に開口部が設けられ、コーナー部の角を形成する床構造体の縦枠と横枠には、この開口部の内方向に突出したＬ字形の耐風床が設けられ、この耐風床以外の開口部が下階から上階に貫通している吹き抜けになされているので、地震や風圧等の水平方向の力が、開口部が設けられて機械的強度が小さくなっている床構造体の角の角度を変化させようとする力なっても、この開口部近傍のコーナー部にある２個の壁構造体の上枠に股がって取り付けられたＬ字形の金属製補強材と、コーナー部の角を形成する床構造体の縦枠と横枠に設けられたＬ字形の耐風床がこの力に抵抗し、この壁構造体の角や床構造体の角の角度が変化しない。その結果、コーナー部の壁構造体やＬ字形の耐風床が破壊されない。
【００２６】
このように、この請求項４記載の発明では、Ｌ字形の金属製補強材とＬ字形の耐風床の両方が風等の力に抵抗し、地震や風圧等の水平方向の力に対する抵抗力が大きくなっているので、このＬ字形の金属製補強材近傍の床構造体に吹き抜け等の開口部が設けられ、且つ、壁構造体にも開口部が設けられているというように、コーナー部の機械的強度が非常に小さくなっている場合でも、地震や風圧等に抵抗することができ、かかる場合に好適である。
【００２７】
【発明の実施の形態】
以下、本発明の実施の形態を実施例で説明する。
図１〜図７は本発明をユニット建物に適用した一実施例を示すもので、図１（イ）はユニット建物を示す斜視図、（ロ）は１階の建物ユニットの配置を示す平面図、（ハ）は２階の建物ユニットの配置を示す平面図、図２は図１のＡ部分の壁面材を取り除いた壁パネルの状態を示す斜視図、図３は一般の建物ユニットを示す一部切欠斜視図、図４は大きな開口部を有する建物ユニットを示す一部切欠斜視図、図５は小さな開口部を有する建物ユニットを示す一部切欠斜視図、図６は大きな開口部と吹き抜けが設けられた建物ユニットを示す一部切欠斜視図、図７は小さな開口部と吹き抜けが設けられた建物ユニットを示す一部切欠斜視図である。
【００２８】
図１〜図７において、Ｈはユニット建物であり、このユニット建物Ｈは、図１に示すように、基礎９９の上に６個の建物ユニット１が据え付けられて１階が形成され、この１階の建物ユニット１の上に６個の建物ユニット１が据え付けられて２階が形成され、この２階の建物ユニット１の上に６個の屋根ユニット９７が据え付けられ、この屋根ユニット９７の上に屋根パネル９８が取り付けられ、この屋根パネル９８の上に図示しない屋根材が葺かれたものである。
【００２９】
このユニット建物Ｈを構成する建物ユニット１は、一般的な建物ユニット１−１と、大きな開口部２−１を有する建物ユニット１−２と、小さな開口部２−２を有する建物ユニット１−３と、大きな開口部２−１と吹き抜け３を有する建物ユニット１−４と、小さな開口部２−２と吹き抜け３を有する建物ユニット１−５と、階段口３５を有する建物ユニット１−６の６種類ある。
そして、１階には、図１（ロ）に示すように、４個の一般的な建物ユニット１−１と、１個の大きな開口部２−１が設けられた建物ユニット１−２と、１個の小さな開口部２−２が設けられた建物ユニット１−３とが据え付けられている。
【００３０】
又、２階には、図１（ハ）に示すように、３個の一般的な建物ユニット１−１と、１個の階段口３５を有する建物ユニット１−６と、１個の大きな開口部２−１と吹き抜け３を有する建物ユニット１−４と、１個の小さな開口部２−２と吹き抜け３を有する建物ユニット１−５とが据え付けられている。
一般的な建物ユニット１−１は、従来の建物ユニットと略同じである。即ち、図３に示すように、床構造体である矩形状の床パネル４と、この床パネル４に立設された壁構造体である壁パネル５と、床パネル４の隅部の中を下面まで貫通し、壁パネル５と上枠５１までの高さの柱６とからなる。
【００３１】
この際の床パネル４は、矩形状に組み立てられた縦枠４１、横枠４２と、この中に取り付けられた桟材４３とからなる骨格と、この骨格の上面に設けた床面材とからなり、矩形状の隅には柱６が貫通する通孔が設けられている。そして、２階に使用される床パネル４の骨格の下面には、図示しない１階の天井面材が設けられている。
【００３２】
また、矩形状に組み立てられた上枠５１、下枠５２、両側の縦枠５３と、この上枠５１、下枠５２に差し渡された桟材５３とからなる骨格と、この骨格の片面又は両面に設けられた壁面材５４とからなる。尚、この壁パネル５には、外壁パネル、内壁パネル、間仕切りパネル等の種類がある。
この壁パネル５の数や位置は部屋の間取り等によって異なる。
【００３３】
大きな開口部２を有する建物ユニット１−２は、図４に示すように、矩形状の床パネル４と、壁パネル５と、床パネル４の隅部の中を下面まで貫通し、壁パネル５と上枠５１までの高さの柱６とからなることは、一般的な建物ユニット１−１と略同じであるが、矩形状の床パネル４の短辺には、大きな開口部２−５を有する壁パネル５−１が立設され、長辺には大きな開口部２−１を有する壁パネル５−２が立設され、コーナー部を形成する２個の壁パネル５−１、５−２の上枠５１に窪みが設けられ、この窪みにＬ字形の厚み略２．３ｍｍの鋼製の金属製補強材７が挿入され、取り付けられていて、コーナー部を形成する２個の壁パネル５−１、５−２の上枠５１が金属製補強材７で連結されている。
【００３４】
このように、この金属製補強材７は壁構造体５−１、５−２の壁パネル５に股がって取り付けられている。
そして、この矩形状の床パネル４の短辺に取り付けられる壁パネル５−１の上枠５１の下面には、まぐさ５５が取り付けられ、下枠５２の上面には、窓台５６が取り付けられ、柱６、まぐさ５５、窓台５６に額縁５７が取り付けられている。
【００３５】
また、この矩形状の床パネル４の長辺に取り付けられる壁パネル５−２には、間柱６５が上枠５１と下枠５２に差し渡されて取り付けられている。そして、この間柱６５のコーナー側の上枠５１には、まぐさ５５が取り付けられ、下枠５２には窓台５６が取り付けられ、柱６、まぐさ５５、窓台５６には、それぞれ額縁５７が取り付けられている。
そして、この大きな開口部２−１を有する建物ユニット１−２の短辺側では、床パネル４に柱６と壁パネル５−１、５−２が取り付けられた後に、壁パネル５−１の上枠５１、まぐさ５５、額縁５７の屋外面と、額縁５７、窓台５６、下枠５２、床パネル４の端面とに壁面材５４が取り付けられる。すると、この壁面材５４が取り付けられてない短辺部分に大きな開口部５−５が形成される。
【００３６】
また、長辺側では、壁パネル５−２の間柱６５からコーナーと反対側の部分の屋外面と、上枠５１、まぐさ５５、額縁５７の屋外面と、額縁５７、窓台５６、下枠５２と床パネル４の端面に壁面材５４が取り付けられる。すると、この壁面材５４が取り付けられてない部分に開口部２−１が形成される。
そして、この大きな開口部２−１を有する建物ユニット１−２は、図１（ロ）に示すように、出隅部分に据え付けられる。従って、柱６は出隅のコーナーに位置するので、隅柱Ｓである。
なお、長辺に取り付けられた壁パネル５−２の大きな開口部２−１の額縁５７には、図１（イ）に示すように、アルミニウム製のサッシ５８が取り付けられる。
【００３７】
小さな開口部２−６を有する建物ユニット１−３は、図１（ロ）に示すように、大きな開口部２−１を有する建物ユニット１−２の短辺の延長方向に隣接し、且つ、長辺を対峙させて据え付けられるものであって、図５に示すように、長辺には壁パネルがない。そして、短辺に取り付けられるの壁パネル５−３には、間柱６５が設けられ、この間柱６５から建物ユニット１−２が取り付けられる側の端までには、上枠５１にまぐさ５５が取り付けられるし、下枠５２に窓台５６が取り付けられる。又、柱６、まぐさ５５、窓台５６には額縁５７が取り付けられる。
【００３８】
そして、間柱６５から大きな開口部２−１を有する建物ユニット１−２と反対側の屋外側面、上枠５１、まぐさ５５、額縁５７の屋外側面と、額縁５７、窓台、下枠５２、床パネル４の端面に壁面材５４が取り付けられる。すると、壁面材５４が取り付けられてない部分に小さな開口部２−３が形成される。
この建物ユニット１−３を大きな開口部２−１を有する建物ユニット１−２に隣接させ、且つ、長辺を対峙させて据え付けると、大きな開口部２−５と小さな開口部２−６が連続して、大きな開口部２−１と略同じ大きさの開口部２−２が形成される。
そして、この大きな開口部２−５と小さい開口部２−６とが連続してできた開口部２−２の額縁５７には、図１（イ）に示すように、アルミニウム製サッシ５８が取り付けられる。
【００３９】
大きな開口部２−３と吹き抜け３を有する建物ユニット１−４は、図６に示すように、床パネル４の短辺に大きな開口部２−７を有する壁パネル５−４が取り付けられ、長辺に大きな開口部２−３を有する壁パネル５−５が取り付けられ、柱６に取り付けられた壁パネル５−１、５−２の上枠５１に窪みが設けられ、この窪みにＬ字形の厚み略２．３ｍｍの鋼製の金属製補強材７が挿入され、取り付けられて、コーナー部を形成する２個の壁パネル５−１、５−２の上枠５１が金属製補強材７で連結されているいることは、大きな開口部２−１を有する建物ユニット１−２と略同じである。
【００４０】
しかし、床パネル４は周囲の縦枠４１と横枠４２だけであり、中央部分には桟材や床面材がなく開口部となり、この床パネル４の横枠４２に幅が略４５５ｍｍの耐風床８−１が取り付けられ、短辺の縦枠４２に幅が略４５５ｍｍの耐風床８−２が開口部の中央方向に突出した状態に取り付けられ、この耐風床８−１、８−２のない部分が吹き抜け３となっていることが異なる。尚、この耐風床８−１と８−２は連結されて一体になっている。
【００４１】
そして、この大きな開口部２−３を有する建物ユニット１−４は、図１（ハ）に示すように、出隅部分に据え付けられる。従って、柱６は出隅のコーナーに位置するので、隅柱Ｓである。
小さな開口部２−８と吹き抜け３を有する建物ユニット１−５は、図７に示すように、長辺には壁パネルがなく、短辺に取り付けられる壁パネル５−６に小さな開口部２−６が設けられていることは、小さな開口部２−６が設けられている建物ユニット１−３と略同じであるが、床パネル４の構造が異なる。
【００４２】
即ち、床パネル４は周囲の縦枠４１と横枠４２だけであり、中央部分には桟材や床面材がなく開口部となり、この床パネル４の短辺の縦枠４２に幅が略４５５ｍｍの耐風床８−３が開口部の中央方向に突出した状態に取り付けられ、この耐風床８−３のない部分が吹き抜け３となっている。
【００４３】
そして、この大きな開口部２−３と吹き抜け３を有する建物ユニット１−４と小さな開口部２−８と吹き抜け３を有する建物ユニット１−５を隣接させ、且つ、両方の開口部が対峙するように据え付けると、大きな開口部２−７と小さな開口部２−８とが連結されて大きな開口部２−４となると同時に、耐風床８−２と耐風床８−３が連結され、図１（ハ）に示すＬ字形の耐風床８となり、この耐風床８の内部に吹き抜け３が形成される。
【００４４】
なお、建物ユニット１−４と建物ユニット１−５の床パネル４に設けられる開口部は、両者が据え付けられたときに、この両方の開口部が連結するように、この長辺には横枠４２が設けられてない。
階段口３５を有する建物ユニット１−６や屋根ユニット９７や屋根パネル９８は、従来と略同じ構造であるので、説明を省略する。
【００４５】
次に、このユニット建物Ｈの施工方法を説明する。
工場で、一般的な建物ユニット１−１、大きな開口部２−１を有する建物ユニット１−２、小さな開口部２−６を有する建物ユニット１−３、大きな開口部２−３と吹き抜け３を有する建物ユニット１−４、小さな開口部２−８と吹き抜け３を有する建物ユニット１−５と、階段口３５を有する建物ユニット１−６、屋根ユニット９７、屋根パネル９８を製造する。
なお、この工場で製造する建物ユニット１には、アルミニウム製サッシ５８が取り付けられてない。
【００４６】
そして、これ等を施工現場に運搬する。
なお、運搬する際に壁パネル５に設けられた開口部２や床パネル４に設けられた開口部の部分が強度不足で、建物ユニット１が破損するようであれば、この開口部２に仮柱を立設したり、床パネル４の開口部に仮梁を設けて運搬し、この建物ユニット１を据え付け、組み立てた後に、この仮柱や仮梁を取り除くようにするとよい。
【００４７】
施工現場では、予め設けられている基礎９９の上に、４個の一般的な建物ユニット１−１と、１個の大きな開口部２−１を有する建物ユニット１−２と、１個の小さな開口部２−６を有する建物ユニット１−３とを据え付けて１階を形成し、この１階の建物ユニット１の上に３個の一般的な建物ユニット１−１と、１個の階段口３５を有する建物ユニット１−６と、１個の大きな開口部２−３と吹き抜け３を有する建物ユニット１−４と、１個の小さな開口部２−８と吹き抜け３を有する建物ユニット１−５とを据え付けて２階を形成する。
そして、この２階の建物ユニット１の上に６個の屋根ユニット９７を据え付け、この屋根ユニット９７の上に屋根パネル９８を取り付ける。
【００４８】
そして、１階の大きな開口部２−１と、大きな開口部２−５と小さな開口部２−６が連結された大きな開口部２−２には、それぞれアルミニウム製サッシ５８を取り付ける。
また、２階の大きな開口部２−３と、大きな開口部２−７と小さな開口部２−８が連結された大きな開口部２−４には、それぞれアルミニウム製サッシ５８を取り付ける。
【００４９】
また、この大きな開口部２−３と吹き抜け３を有する建物ユニット１−４の耐風床７−２と、小さな開口部２−７と吹き抜け３を有する建物ユニット１−５の耐風床７−３とを連結し、両者を強固に固定すると、図１（ハ）に示すＬ字形の耐風床７が完成する。
また、図１に示すように、上階の建物ユニット１と下階の建物ユニット１とを連結金具９５で連結する。
その他、屋根材を葺いたり、種々な仕上げを行うと、ユニット建物Ｈが間接する。
【００５０】
このようにして完成したユニット建物Ｈでは、１階の隅柱Ｓとこの隅柱Ｓに略直角に取り付けられた２個の壁構造体である壁パネル５−１、５−２からなるコーナー部と、２階の隅柱Ｓとこの隅柱Ｓに略直角に取り付けられたコーナー部の隅柱Ｓの２面に取り付けられた２個の壁パネル５の上枠５１、５１には、Ｌ字形の金属製補強材７が股がって取り付けられ、この２個の壁パネル５の隅柱Ｓ近傍に開口部２が設けられているし、金属製補強材７近傍の１階と２階の間にある床構造体には、開口部３が設けられ、この開口部３が設けられた床パネル４には、このコーナー部を挟む縦枠４１と横枠４２にＬ字形の耐風床８が設けられ、この耐風床８のＬ字形の内部が下階から上階に貫通している吹き抜け３が形成されている。
【００５１】
一般に、地震や風圧等の水平方向の力が、開口部２、３が設けられて機械的強度が小さくなっているコーナー部の壁パネル５の角や床パネル４の角の角度を変化させようとする力になるが、上記のように、壁パネル５に開口部２が設けられ、床パネル４には開口部３が設けられて、このコーナー部の機械的強度が小さくなっていても、コーナー部の２個の壁パネル５−１、５−２の上枠５１、５１に股がって取り付けられた金属製補強材７と、コーナー部に設けられたＬ字形の耐風床８とがこの力に抵抗し、この壁パネル５や床パネル４の角の角度が変化しない。その結果、コーナー部の壁パネル５やＬ字形の耐風床８が破壊されない。
【００５２】
このように、この実施例では、Ｌ字形の金属製補強材７とＬ字形の耐風床８の両方が風等の力に抵抗するので、特に、大きな抵抗力となり、上階と下階の両方に開口部２が設けられ、しかも、金属製補強材７近傍の床パネル４に吹き抜け３も設けられて、機械的強度が小さくなっていても壁パネル５や床パネル４が破壊されないのである。
【００５３】
以上、この発明の実施の形態を実施例及び図面により詳述したが、具体的の構成は実施例に限られるものでなく、この発明の要旨を逸脱しない範囲の変更等があっても、この発明に含まれる。
例えば、実施例では、１階と２階の壁パネルに略上枠に達する大きさの開口部が設けられ、しかも、１階と下階の境界にある床パネルに吹き抜けが設けられているが、この中の１つだけが設けられていてもよいし、２つ以上が設けられていてもよい。
【００５４】
即ち、１階の壁パネルだけに開口部が設けられていてもよいし、２階の壁パネルだけに開口部が設けられていてもよいし、１階と２階の両方の壁パネルに開口部が設けられていてもよい。
又、コーナー部の床パネルだけに吹き抜けが設けられていてもよいし、床パネルに吹き抜けが設けられ、１階の壁パネル又は２階の壁パネルに開口部が設けられていてもよい。
【００５５】
又、壁構造体に、工場で予め製造する壁パネルを使用したが、施工現場で壁に組み立てる壁構造体であってもよい。又、床構造体に、工場で予め製造する床パネルを使用したが、施工現場で床に組み立てる床構造体であってもよい。
又、木質建物にユニット建物の例を示したが、この木質建物はユニット建物だけにかぎらず、施工現場で組み立てる従来の木質建物であってもよいし、枠組壁工法で建てる木質建物であってもよい。
【００５６】
【発明の効果】
以上説明してきたように、請求項１に記載の発明は、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、隅柱に取り付けられた２個の壁構造体の上枠に股がってＬ字形の金属製補強材が取り付けられ、この２個の壁構造体の隅柱近傍に開口部が設けられているから、地震や風圧等の水平方向の力が、開口部が設けられて機械的強度が小さくなっているコーナー部の壁構造体の上枠や下枠と側枠や柱等で構成される角に集中し、角の角度を変化させようとする力になっても、コーナー部に設けられている２個の壁構造体の上枠に股がって取り付けられたＬ字形の金属製補強材がこの力に抵抗し、このコーナー部に設けられている２個の壁構造体の角度が変化せず、コーナー部の壁構造体等が破壊されない。
【００５７】
請求項２記載の発明は、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、下階と上階の隅柱に取り付けられた２個の壁構造体の上枠に股がってそれぞれＬ字形の金属製補強材が取り付けられ、この下階と上階の２個の壁構造体の隅柱近傍にそれぞれ開口部が設けられているから、地震や風圧等の水平方向の力が、開口部が設けられて機械的強度が小さくなっているコーナー部の下階の壁構造体の上枠や下枠と側枠や柱等で構成される角や上階の壁構造体の上枠や下枠と側枠や柱等で構成される角に集中し、角の角度を変化させようとする力になっても、コーナー部に設けられている上階や下階の２個の壁構造体の上枠に股がって取り付けられたそれぞれのＬ字形の金属製補強材がこの力に抵抗し、このコーナー部に設けられている２個の壁構造体の角度が変化せず、コーナー部の壁構造体等が破壊されない。
【００５８】
請求項３記載の発明は、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、コーナー部では、下階の隅柱に取り付けられた２個の壁構造体の上枠に股がってＬ字形の金属製補強材が取り付けられ、床構造体には、金属製補強材近傍に開口部が設けられて、この開口部が下階から上階に貫通している吹き抜けになされているから、地震や風圧等の水平方向の力が、開口部が設けられて機械的強度が小さくなっている床構造体の角の角度を変化させようとする力なっても、この開口部近傍のコーナー部にある２個の壁構造体の上枠に股がって取り付けられたＬ字形の金属製補強材がこの力に抵抗し、この壁構造体の角や床構造体の角の角度が変化せず、その結果、コーナー部の壁構造体が破壊されない。
【００５９】
請求項４記載の発明は、隅柱とこの隅柱に略直角に取り付けられた２個の壁構造体からなるコーナー部と、上階と下階の間に設けられた床構造体とを備えた複数階の木質建物であって、前記壁構造体は上枠、下枠からなる骨格を有し、前記床構造体は縦枠、横枠からなる骨格を有し、コーナー部では、下階の隅柱に取り付けられた２個の壁構造体の上枠に股がってＬ字形の金属製補強材が取り付けられ、床構造体には、金属製補強材近傍に開口部が設けられ、コーナー部の角を形成する床構造体の縦枠と横枠には、この開口部の内方向に突出したＬ字形の耐風床が設けられ、この耐風床以外の開口部が下階から上階に貫通している吹き抜けになされているから、地震や風圧等の水平方向の力が、開口部が設けられて機械的強度が小さくなっている床構造体の角の角度を変化させようとする力なっても、この開口部近傍のコーナー部にある２個の壁構造体の上枠に股がって取り付けられたＬ字形の金属製補強材と、コーナー部の角を形成する床構造体の縦枠と横枠に設けられたＬ字形の耐風床がこの力に抵抗し、この壁構造体の角や床構造体の角の角度が変化せず、その結果、コーナー部の壁構造体やＬ字形の耐風床が破壊されない。
【図面の簡単な説明】
【図１】本発明をユニット建物に適用した一実施例を示すもので、（イ）はユニット建物を示す斜視図、（ロ）は１階の建物ユニットの配置を示す平面図、（ハ）は２階の建物ユニットの配置を示す平面図である。
【図２】図１のＡ部分の壁面材を取り除いた状態の壁パネルを示す斜視図である。
【図３】一般の建物ユニットを示す一部切欠斜視図である。
【図４】大きな開口部を有する建物ユニットを示す一部切欠斜視図である。
【図５】小さな開口部を有する建物ユニットを示す一部切欠斜視図である。
【図６】大きな開口部と吹き抜けが設けられた建物ユニットを示す一部切欠斜視図である。
【図７】小さな開口部と吹き抜けが設けられた建物ユニットを示す一部切欠斜視図である。
【符号の説明】
Ｈ                建物
Ｓ                隅柱
１                建物ユニット
１−１            一般的な建物ユニット
１−２            大きな開口部を有する建物ユニット
１−３            小さな開口部を有する建物ユニット
１−４            大きな開口部と吹き抜けを有する建物ユニット
１−５            小さな開口部と吹き抜けを有する建物ユニット
１−６            階段口を有する建物ユニット
２                開口部
３                吹き抜け
４                床構造体（床パネル）
５                壁構造体（壁パネル）
６                柱（隅柱Ｓ）
７                Ｌ字形の金属製補強材
【図１】
2004324309.tif 000003
【図２】
2004324309.tif 000004
【図３】
2004324309.tif 000005
【図４】
2004324309.tif 000006
【図５】
2004324309.tif 000007
【図６】
2004324309.tif 000008
【図７】
2004324309.tif 000009